(57)【要約】【課題】蓋を装着した状態で容器本体を販売ユニットにセットした場合であっても、誤って蓋の上に飲料を注いでしまうことがない飲料用自動販売機、飲料販売システム、および飲料販売方法を提供する。【解決手段】飲料用自動販売機１０は、販売機本体１１と、販売ユニット１２と、個別の識別情報と飲料情報とを対応付けて記憶する記憶ユニット１４と、第１のＩＣタグ３３から蓋認識情報を読み出すとともに第２のＩＣタグ３４から識別情報を読み出す読出ユニット１５とを備えている。制御ユニット１６は、容器本体３２に設けられた第２のＩＣタグ３４から識別情報を読み出し、この識別情報に対応する飲料情報に基づいて容器本体３２に飲料を充填するように販売ユニット１２を制御する。制御ユニット１６は、蓋３１に設けられた第１のＩＣタグ３３から蓋認識情報を読み出した場合、飲料を充填しないように販売ユニット１２を制御する。【選択図】図１
2010224882.tif 000002
【特許請求の範囲】
【請求項１】
蓋認識情報を記憶する第１のＩＣタグが設けられた蓋と、個別の識別情報を記憶する第２のＩＣタグが設けられた容器本体とを有する飲料容器のうち、その容器本体に飲料を充填して販売する飲料用自動販売機において、
販売機本体と、
販売機本体に設けられ、容器本体に対して飲料を充填する販売ユニットと、
個別の識別情報と、飲料情報とを対応付けて記憶する記憶ユニットと、
販売ユニット内に設けられ、第１のＩＣタグから蓋認識情報を読み出し可能であり、かつ第２のＩＣタグから識別情報を読み出し可能な読出ユニットと、
販売ユニットに接続され、飲料容器に対して飲料を販売する際、容器本体に設けられた第２のＩＣタグから読出ユニットにより識別情報を読み出し、この識別情報に対応する飲料情報を記憶ユニットから読み出し、この飲料情報に基づいて容器本体に飲料を充填するように販売ユニットを制御する制御ユニットとを備え、
制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料用自動販売機。
【請求項２】
販売機本体に、飲料容器に対して飲料を販売する際に操作される操作ユニットが設けられ、
制御ユニットは、第２のＩＣタグから読出ユニットにより読み出された識別情報に基づいて容器本体が販売ユニットに存在しないと判断した場合でかつ操作ユニットが操作された場合、飲料を充填しないように販売ユニットを制御し、または、使い捨ての飲料容器を販売ユニットに自動的にセットして飲料を充填するように販売ユニットを制御することを特徴とする請求項１記載の飲料用自動販売機。
【請求項３】
飲料情報は、飲料の販売履歴に関する販売履歴情報を含み、制御ユニットは販売ユニットにより容器本体に飲料を充填させた後、当該飲料の販売に関する情報を新たな販売履歴情報として記憶ユニットに記憶させることを特徴とする請求項１または２記載の飲料用自動販売機。
【請求項４】
販売機本体に、飲料容器を洗浄するための洗浄ユニットが設けられていることを特徴とする請求項１乃至３のいずれか一項記載の飲料用自動販売機。
【請求項５】
販売機本体に、飲料容器を洗浄するための洗浄ユニットが設けられ、
洗浄ユニットは、販売履歴情報のうち直前に購入した飲料に関する情報に基づいて飲料容器を洗浄することを特徴とする請求項３記載の飲料用自動販売機。
【請求項６】
飲料情報は、販売された飲料の販売数を示す販売数情報を含み、制御ユニットは、販売数情報の示す販売数が所定数に達した場合、販売ユニットに飲料を無料または割引販売させることを特徴とする請求項１乃至５のいずれか一項記載の飲料用自動販売機。
【請求項７】
飲料情報は、当該飲料容器のユーザーの嗜好に関する嗜好情報を含み、制御ユニットは、この嗜好情報に基づいて販売ユニットに飲料を充填させることを特徴とする請求項１乃至６のいずれか一項記載の飲料用自動販売機。
【請求項８】
蓋認識情報を記憶する第１のＩＣタグが設けられた蓋と、飲料情報を記憶する第２のＩＣタグが設けられた容器本体とを有する飲料容器のうち、その容器本体に飲料を充填して販売する飲料用自動販売機において、
販売機本体と、
販売機本体に設けられ、容器本体に対して飲料を充填する販売ユニットと、
販売ユニット内に設けられ、第１のＩＣタグから蓋認識情報を読み出し可能であり、かつ第２のＩＣタグから飲料情報を読み出し可能な読出ユニットと、
販売ユニットに接続され、飲料容器に対して飲料を販売する際、容器本体に設けられた第２のＩＣタグから読出ユニットにより飲料情報を読み出し、この飲料情報に基づいて、容器本体に飲料を充填するように販売ユニットを制御する制御ユニットとを備え、
制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料用自動販売機。
【請求項９】
販売機本体に、飲料容器に対して飲料を販売する際に操作される操作ユニットが設けられ、
制御ユニットは、第２のＩＣタグから読出ユニットにより読み出された識別情報に基づいて容器本体が販売ユニットに存在しないと判断した場合でかつ操作ユニットが操作された場合、飲料を充填しないように販売ユニットを制御し、または、使い捨ての飲料容器を販売ユニットに自動的にセットして飲料を充填するように販売ユニットを制御することを特徴とする請求項８記載の飲料用自動販売機。
【請求項１０】
販売機本体に、飲料容器を洗浄するための洗浄ユニットが設けられていることを特徴とする請求項８または９記載の飲料用自動販売機。
【請求項１１】
飲料情報は、当該飲料容器のユーザーの嗜好に関する嗜好情報を含み、販売ユニット内に、この嗜好情報を第２のＩＣタグに対して書込み可能な書込ユニットが設けられていることを特徴とする請求項１０記載の飲料用自動販売機。
【請求項１２】
蓋認識情報を記憶する第１のＩＣタグが設けられた蓋と、個別の識別情報を記憶する第２のＩＣタグが設けられた容器本体とを有する飲料容器と、
個別の識別情報と、飲料情報とを対応付けて記憶するサーバーと、
サーバーと通信可能に接続された飲料用自動販売機とを備え、
飲料用自動販売機は、
販売機本体と、
販売機本体に設けられ、飲料容器に対して飲料を充填する販売ユニットと、
販売ユニット内に設けられ、第１のＩＣタグから蓋認識情報を読み出し可能であり、かつ第２のＩＣタグから識別情報を読み出し可能な読出ユニットと、
販売ユニットに接続され、飲料容器に対して飲料を販売する際、容器本体に設けられた第２のＩＣタグから読出ユニットにより識別情報を読み出し、この識別情報に対応する飲料情報をサーバーから読み出し、この飲料情報に基づいて容器本体に飲料を充填するように販売ユニットを制御する制御ユニットとを有し、
制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料販売システム。
【請求項１３】
蓋認識情報を記憶する第１のＩＣタグが設けられた蓋と、個別の識別情報を記憶する第２のＩＣタグが設けられた容器本体とを有する飲料容器のうち、その容器本体に飲料を充填して販売する飲料販売方法において、
容器本体を販売ユニット内に載置する載置ステップと、
容器本体に設けられた第２のＩＣタグから読出ユニットにより識別情報を読み出す読出しステップと、
識別情報と飲料情報とを対応付けて記憶する記憶ユニットを参照し、読出しステップにおいて読み出された識別情報に対応する飲料情報を記憶ユニットから読み出し、この飲料情報に基づいて、容器本体に飲料を充填するように販売ユニットを制御する制御ステップとを備え、
制御ステップにおいて、蓋に設けられた第１のＩＣタグから読出ユニットにより蓋認識情報を読み出して、容器本体に蓋が装着されていると判断した場合、飲料を充填しないように販売ユニットを制御することを特徴とする飲料販売方法。
【発明の詳細な説明】
【技術分野】
【０００１】
本発明は、蓋と容器本体とを有する飲料容器のうち、その容器本体に飲料を充填して販売する飲料用自動販売機、飲料販売システム、および飲料販売方法に関する。
【背景技術】
【０００２】
従来より、カップに対して飲料を充填して販売する販売部を備えた飲料用自動販売機が知られている。このような飲料用自動販売機は、例えば職場等で各ユーザーがコーヒーや紅茶等の飲料を購入して飲むために設置されている。この場合、カップは使い捨ての紙カップまたはプラスチックカップからなることが一般的であるため、資源浪費やゴミ処理等の問題がある。また、紙カップやプラスチックカップで飲む飲料は味気ないという問題もある。
【０００３】
そこで、例えばバーコードが印刷されたカップを予め用意しておき、各ユーザーがこのカップを所定位置に置くと、バーコード情報をリーダ等により適宜読み出し、このバーコード情報に基づいて販売部から飲料を販売する所謂マイカップ機能を備えた飲料用自動販売機が開示されている（例えば、特許文献１参照）。
【０００４】
また特許文献２には、バーコードに代えてカップにＩＣタグ設け、このＩＣタグから読み出した識別情報に対応付けて記憶部に記憶させた飲料情報に基づいて、販売部が飲料を販売する飲料用自動販売機が開示されている。
【先行技術文献】
【特許文献】
【０００５】
【特許文献１】特開平９−２６７８４５号公報
【特許文献２】特開２００６−１２７１３８号公報
【発明の概要】
【発明が解決しようとする課題】
【０００６】
ところで、近年、環境問題への関心の高まりやファッション性などの理由から、魔法瓶等の蓋付の容器によって飲料を持ち歩く人が増えてきている。また、コーヒーショップに蓋付のマイカップを直接持って行き、この蓋付のマイカップに飲料を入れてもらった後、自分のオフィスで飲料をゆっくり飲むという行動をとる人も増えてきている。この結果、蓋付の容器に対する需要が高まってきている。
【０００７】
このような蓋付の容器を上述した特許文献２記載の自動販売機にセットすることも考えられる。しかしながら、誤って蓋を閉じた状態で容器を自動販売機にセットした場合、蓋の上に飲料が注がれてしまい、飲料がもれるなどの問題が発生する。さらに、外出先では必ずしも常に容器内を洗浄できるとは限らない。したがって、前に飲んだ飲料の汚れが残ったまま容器内に新たに飲料を充填しなければならないという問題もある。
【０００８】
本発明はこのような点を考慮してなされたものであり、蓋を装着した状態で容器本体を販売ユニットにセットした場合であっても、誤って蓋の上に飲料を注いでしまうことがない、飲料用自動販売機、飲料販売システム、および飲料販売方法を提供することを目的とする。
【課題を解決するための手段】
【０００９】
本発明は、蓋認識情報を記憶する第１のＩＣタグが設けられた蓋と、個別の識別情報を記憶する第２のＩＣタグが設けられた容器本体とを有する飲料容器のうち、その容器本体に飲料を充填して販売する飲料用自動販売機において、販売機本体と、販売機本体に設けられ、容器本体に対して飲料を充填する販売ユニットと、個別の識別情報と、飲料情報とを対応付けて記憶する記憶ユニットと、販売ユニット内に設けられ、第１のＩＣタグから蓋認識情報を読み出し可能であり、かつ第２のＩＣタグから識別情報を読み出し可能な読出ユニットと、販売ユニットに接続され、飲料容器に対して飲料を販売する際、容器本体に設けられた第２のＩＣタグから読出ユニットにより識別情報を読み出し、この識別情報に対応する飲料情報を記憶ユニットから読み出し、この飲料情報に基づいて容器本体に飲料を充填するように販売ユニットを制御する制御ユニットとを備え、制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料用自動販売機である。
【００１０】
本発明は、販売機本体に、飲料容器に対して飲料を販売する際に操作される操作ユニットが設けられ、制御ユニットは、第２のＩＣタグから読出ユニットにより読み出された識別情報に基づいて容器本体が販売ユニットに存在しないと判断した場合でかつ操作ユニットが操作された場合、飲料を充填しないように販売ユニットを制御し、または、使い捨ての飲料容器を販売ユニットに自動的にセットして飲料を充填するように販売ユニットを制御することを特徴とする飲料用自動販売機である。
【００１１】
本発明は、飲料情報は、飲料の販売履歴に関する販売履歴情報を含み、制御ユニットは販売ユニットにより容器本体に飲料を充填させた後、当該飲料の販売に関する情報を新たな販売履歴情報として記憶ユニットに記憶させることを特徴とする飲料用自動販売機である。
【００１２】
本発明は、販売機本体に、飲料容器を洗浄するための洗浄ユニットが設けられていることを特徴とする飲料用自動販売機である。
【００１３】
本発明は、販売機本体に、飲料容器を洗浄するための洗浄ユニットが設けられ、
洗浄ユニットは、販売履歴情報のうち直前に購入した飲料に関する情報に基づいて飲料容器を洗浄することを特徴とする飲料用自動販売機である。
【００１４】
本発明は、飲料情報は、販売された飲料の販売数を示す販売数情報を含み、制御ユニットは、販売数情報の示す販売数が所定数に達した場合、販売ユニットに飲料を無料または割引販売させることを特徴とする飲料用自動販売機である。
【００１５】
本発明は、飲料情報は、当該飲料容器のユーザーの嗜好に関する嗜好情報を含み、制御ユニットは、この嗜好情報に基づいて販売ユニットに飲料を充填させることを特徴とする飲料用自動販売機である。
【００１６】
本発明は、蓋認識情報を記憶する第１のＩＣタグが設けられた蓋と、飲料情報を記憶する第２のＩＣタグが設けられた容器本体とを有する飲料容器のうち、その容器本体に飲料を充填して販売する飲料用自動販売機において、販売機本体と、販売機本体に設けられ、容器本体に対して飲料を充填する販売ユニットと、販売ユニット内に設けられ、第１のＩＣタグから蓋認識情報を読み出し可能であり、かつ第２のＩＣタグから飲料情報を読み出し可能な読出ユニットと、販売ユニットに接続され、飲料容器に対して飲料を販売する際、容器本体に設けられた第２のＩＣタグから読出ユニットにより飲料情報を読み出し、この飲料情報に基づいて、容器本体に飲料を充填するように販売ユニットを制御する制御ユニットとを備え、制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料用自動販売機である。
【００１７】
本発明は、販売機本体に、飲料容器に対して飲料を販売する際に操作される操作ユニットが設けられ、制御ユニットは、第２のＩＣタグから読出ユニットにより読み出された識別情報に基づいて容器本体が販売ユニットに存在しないと判断した場合でかつ操作ユニットが操作された場合、飲料を充填しないように販売ユニットを制御し、または、使い捨ての飲料容器を販売ユニットに自動的にセットして飲料を充填するように販売ユニットを制御することを特徴とする飲料用自動販売機である。
【００１８】
本発明は、販売機本体に、飲料容器を洗浄するための洗浄ユニットが設けられていることを特徴とする飲料用自動販売機である。
【００１９】
本発明は、飲料情報は、当該飲料容器のユーザーの嗜好に関する嗜好情報を含み、販売ユニット内に、この嗜好情報を第２のＩＣタグに対して書込み可能な書込ユニットが設けられていることを特徴とする飲料用自動販売機である。
【００２０】
本発明は、蓋認識情報を記憶する第１のＩＣタグが設けられた蓋と、個別の識別情報を記憶する第２のＩＣタグが設けられた容器本体とを有する飲料容器と、個別の識別情報と、飲料情報とを対応付けて記憶するサーバーと、サーバーと通信可能に接続された飲料用自動販売機とを備え、飲料用自動販売機は、販売機本体と、販売機本体に設けられ、飲料容器に対して飲料を充填する販売ユニットと、販売ユニット内に設けられ、第１のＩＣタグから蓋認識情報を読み出し可能であり、かつ第２のＩＣタグから識別情報を読み出し可能な読出ユニットと、販売ユニットに接続され、飲料容器に対して飲料を販売する際、容器本体に設けられた第２のＩＣタグから読出ユニットにより識別情報を読み出し、この識別情報に対応する飲料情報をサーバーから読み出し、この飲料情報に基づいて容器本体に飲料を充填するように販売ユニットを制御する制御ユニットとを有し、制御ユニットは、蓋に設けられた第１のＩＣタグから読出ユニットにより蓋認識情報を読み出して、容器本体に蓋が装着されていると判断した場合、飲料を充填しないように販売ユニットを制御することを特徴とする飲料販売システムである。
【００２１】
本発明は、蓋認識情報を記憶する第１のＩＣタグが設けられた蓋と、個別の識別情報を記憶する第２のＩＣタグが設けられた容器本体とを有する飲料容器のうち、その容器本体に飲料を充填して販売する飲料販売方法において、容器本体を販売ユニット内に載置する載置ステップと、容器本体に設けられた第２のＩＣタグから読出ユニットにより識別情報を読み出す読出しステップと、識別情報と飲料情報とを対応付けて記憶する記憶ユニットを参照し、読出しステップにおいて読み出された識別情報に対応する飲料情報を記憶ユニットから読み出し、この飲料情報に基づいて、容器本体に飲料を充填するように販売ユニットを制御する制御ステップとを備え、制御ステップにおいて、蓋に設けられた第１のＩＣタグから読出ユニットにより蓋認識情報を読み出して、容器本体に蓋が装着されていると判断した場合、飲料を充填しないように販売ユニットを制御することを特徴とする飲料販売方法である。
【発明の効果】
【００２２】
以上のように本発明によれば、制御ユニットは、蓋に設けられた第１のＩＣタグから読出ユニットにより蓋認識情報を読み出して、容器本体に蓋が装着されていると判断した場合、飲料を充填しないように販売ユニットを制御するので、蓋を装着した状態で容器本体を販売ユニットにセットした場合であっても、誤って蓋の上に飲料を注いでしまうことがない。
【図面の簡単な説明】
【００２３】
【図１】図１は、本発明の第１の実施の形態による飲料用自動販売機を示す概略正面図。
【図２】図２は、本発明の第１の実施の形態による飲料用自動販売機に使用される飲料容器を示す概略正面図。
【図３】図３は、本発明の第１の実施の形態による飲料販売方法のうち、洗浄ユニットを用いた飲料容器の洗浄方法を示すフロー図。
【図４】図４は、本発明の第１の実施の形態による飲料販売方法のうち、販売ユニットを用いた飲料の販売方法を示すフロー図。
【図５】図５は、本発明の第２の実施の形態による飲料用自動販売機を示す概略正面図。
【図６】図６は、本発明の第３の実施の形態による飲料販売システムを示す概略図。
【発明を実施するための形態】
【００２４】
第１の実施の形態
以下、図面を参照して本発明の第１の実施の形態について説明する。図１乃至図４は、本発明の第１の実施の形態を示す図である。
【００２５】
まず図１により、本実施の形態による飲料用自動販売機の概略について説明する。図１に示す本実施の形態による飲料用自動販売機１０は、例えばオフィス等、公共の場所に設置されるものであり、販売機本体１１と、販売機本体１１に設けられた販売ユニット１２とを備えている。このうち販売ユニット１２は、飲料容器３０の容器本体３２を内部に載置可能であるとともに、飲料ノズル１３を有している。この販売ユニット１２は、飲料を販売する際、飲料ノズル１３を介して容器本体３２に対して飲料を充填する機能を有している。
【００２６】
次に図２により、飲料容器３０の概略について説明する。図２に示すように、飲料容器３０は、第１のＩＣタグ３３が設けられた蓋３１と、第２のＩＣタグ３４が設けられた容器本体３２とを有している。蓋３１および容器本体３２は、いずれも断熱性を有する構造からなることが好ましい。
【００２７】
第１のＩＣタグ３３は、蓋３１が装着されたまま容器本体３２を飲料用自動販売機１０の販売ユニット１２内に載置した場合に、販売ユニット１２が誤って飲料を充填しないためのものである。この第１のＩＣタグ３３には、蓋３１側のＩＣタグであることを示す情報（蓋認識情報）が記憶されている。
【００２８】
他方、第２のＩＣタグ３４は、後述するように記憶ユニット１４に記憶された飲料情報と関連づけることにより、販売ユニット１２が販売する飲料および添加物の種類や量等を決定するためのものである。また第２のＩＣタグ３４は、販売ユニット１２および洗浄ユニット２１（後述）内に容器本体３２が存在するか否かを判断するためにも用いられる。この第２のＩＣタグ３４には、飲料容器３０毎に異なる個別の識別情報（例えばＩＤナンバー等）が記憶されている。
【００２９】
第１のＩＣタグ３３および第２のＩＣタグ３４としては、通常のＩＣタグを用いることができるが、耐熱性および耐水性のあるＩＣタグを使用することが好ましい。第１のＩＣタグ３３および第２のＩＣタグ３４の使用周波数としては、ＵＨＦ、ＲＦ（１３．５６ＭＨｚ）のいずれも使用可能である。
【００３０】
再度、図１を参照すると、販売ユニット１２内に、第１のＩＣタグ３３から蓋認識情報を読み出し可能であり、第２のＩＣタグ３４から識別情報を読み出し可能な第１の読出ユニット１５が設けられている。なお、第１の読出ユニット１５として、第１のＩＣタグ３３から蓋認識情報を読み出す蓋用の読出ユニットと、第２のＩＣタグ３４から識別情報を読み出す容器本体用の読出ユニットとを別個に設けても良い。
【００３１】
また販売機本体１１前面に、飲料容器３０に対して飲料を販売する際、ユーザーによって操作される操作ユニット１７が配設されている。この操作ユニット１７は、ユーザーに操作されるパネル部１７ａと、操作された内容等を表示する表示部１７ｂとを有している。パネル部１７ａとしては、アナログボタンを含むパネルや、タッチパネル等、一般的な操作パネルを用いることができる。また表示部１７ｂとしては、液晶パネル等、一般的な表示装置を使用することができる。
【００３２】
販売機本体１１前面であって操作ユニット１７近傍の位置に、硬貨投入ユニット２０が設けられている。硬貨投入ユニット２０は、飲料を購入する際にユーザーが硬貨を投入する硬貨投入口２０ａを有している。
【００３３】
また、販売ユニット１２の上方には、複数の紙カップ（使い捨ての飲料容器）１８を縦方向に重ねて収容する紙カップ収容ユニット１９が設けられている。この紙カップ収容ユニット１９は、必要に応じて、販売ユニット１２に対して紙カップ１８を１つずつ排出し、販売ユニット１２内の所定位置に自動的にセットする機能を有している。
【００３４】
さらに、販売機本体１１のうち販売ユニット１２の側方の位置に、飲料容器３０を洗浄するための洗浄ユニット２１が設けられている。洗浄ユニット２１内には、第１のＩＣタグ３３から蓋認識情報を読み出し可能であり、かつ第２のＩＣタグ３４から識別情報を読み出し可能な第２の読出ユニット２２が設けられている。この場合も、第２の読出ユニット２２として、第１のＩＣタグ３３から蓋認識情報を読み出す蓋用の読出ユニットと、第２のＩＣタグ３４から識別情報を読み出す容器本体用の読出ユニットとを別個に設けても良い。
【００３５】
洗浄ユニット２１内の底面には、蓋３１および上下逆向きにされた容器本体３２に対して洗浄液を噴射する洗浄液ノズル２３と、リンス液を噴射するリンス液ノズル２４と、乾燥用の熱風を吹き付ける熱風ノズル２５とが、蓋３１および容器本体３２に対応してそれぞれ設置されている。このうち各洗浄液ノズル２３から噴射する洗浄液としては、水（もしくはお湯）または洗剤入りの水（もしくはお湯）を使用することができる。また、各洗浄液ノズル２３から洗浄液をミスト状（常温または加温）に噴出しても良い。各リンス液ノズル２４から噴射されるリンス液としては、水（またはお湯）を用いることができる。
【００３６】
一方、販売機本体１１内には、記憶ユニット１４と、制御ユニット１６とが設置されている。
【００３７】
このうち記憶ユニット１４は、飲料容器３０の容器本体３２に設けられた第２のＩＣタグ３４が記憶する個別の識別情報と飲料情報とを対応付けて記憶している。このような飲料情報としては、嗜好情報、販売数情報、および販売履歴情報が含まれている。
【００３８】
このうち、嗜好情報は、ユーザーの飲料の嗜好に関する情報であり、具体的には、当該ユーザーが今まで購入した回数が最も多い飲料の種類（例えばコーヒー、紅茶等）ならびに添加物（例えば砂糖、ミルク等）の種類および量等に関する情報である。
【００３９】
また、販売数情報は、過去にこのユーザーに対して販売した飲料の販売数を示す情報である。具体的には、飲料の種類を問わず、過去に販売ユニット１２が当該容器本体３２に対して飲料を充填した回数をいう。
【００４０】
さらに、販売履歴情報は、このユーザーに対して販売した飲料の販売履歴に関する情報である。具体的には、過去に当該ユーザーが購入した飲料の種類（例えばコーヒー、紅茶等）、ならびに添加物（例えば砂糖、ミルク等）の種類および量等の販売内容の履歴を時系列的に記録した情報である。販売履歴情報には、初回の販売内容から直近の販売内容まで全ての履歴を含むことが好ましいが、最近ｎ回（ｎ＝１、２、３、…）分の販売内容に関する履歴のみの情報であっても良い。
【００４１】
他方、制御ユニット１６は、販売ユニット１２、記憶ユニット１４、第１の読出ユニット１５、操作ユニット１７、紙カップ収容ユニット１９、硬貨投入ユニット２０、洗浄ユニット２１、および第２の読出ユニット２２にそれぞれ接続されており、これら各ユニットを制御することにより、ユーザーに対して飲料を販売するようになっている。
【００４２】
次に、図３乃至図４により、このような構成からなる本実施の形態の作用について説明する。
【００４３】
まず図３により、上述した飲料用自動販売機１０による飲料販売方法のうち、洗浄ユニット２１を用いた洗浄方法について説明する。
【００４４】
まずユーザーが、洗浄ユニット２１内の所定位置に飲料容器３０の容器本体３２と蓋３１とをそれぞれ載置する（ステップＳ３０１）。続いて、ユーザーは、操作ユニット１７のパネル部１７ａに設けられた「容器洗浄ボタン」を操作（押圧）する。
【００４５】
この際、制御ユニット１６は、洗浄ユニット２１内の所定位置に容器本体３２および蓋３１がそれぞれ載置されているか否かを判断する（ステップＳ３０２）。具体的には、制御ユニット１６は、第２の読出ユニット２２が容器本体３２に設けられた第２のＩＣタグ３４から識別情報を読み出した場合に「容器本体３２が存在する」と判断し、第２のＩＣタグ３４から識別情報を読み出さなかった場合に「容器本体３２が存在しない」と判断する。同様に、第２の読出ユニット２２が蓋３１に設けられた第１のＩＣタグ３３から蓋認識情報を読み出した場合に「蓋３１が存在する」と判断し、第１のＩＣタグ３３から蓋認識情報を読み出さなかった場合に「蓋３１が存在しない」と判断する。
【００４６】
ここで制御ユニット１６が、「容器本体３２（蓋３１）が存在しない」と判断した場合、すなわち飲料容器３０の容器本体３２（蓋３１）を洗浄ユニット２１内に載置していないか、または容器本体３２（蓋３１）を洗浄ユニット２１内の誤った位置に載置した状態でパネル部１７ａの「購入ボタン」が操作されと判断した場合、操作ユニット１７の表示部１７ｂにより、飲料容器３０が載置されていないことを注意喚起する表示を行う（ステップＳ３０８）。この場合、制御ユニット１６は、容器本体３２（蓋３１）が洗浄ユニット２１の所定位置に載置されるまで洗浄を行わないように洗浄ユニット２１を制御する。
【００４７】
他方、洗浄ユニット２１内に飲料容器３０の容器本体３２および蓋３１が載置されている場合、以下のようにしてステップが進行する。
【００４８】
まず、制御ユニット１６は、第２の読出ユニット２２を用いて容器本体３２に設けられた第２のＩＣタグ３４から識別情報（例えばＩＤナンバー）を読み出す（ステップＳ３０３）。
【００４９】
次に制御ユニット１６は、記憶ユニット１４にアクセスし、当該識別情報に対応付けられた飲料情報のうち販売履歴情報を読み出す（ステップＳ３０４）。なお当該識別情報に対応付けられた販売履歴情報が存在しない場合、初回の洗浄であると判断し、後述する「洗浄メニュー選択モード」（ステップＳ３０９）へ進む。
【００５０】
上述したように、販売履歴情報には、当該ユーザーが今まで購入した飲料の種類（例えばコーヒー、紅茶等）、ならびに添加物（例えば砂糖、ミルク等）の種類および量等の販売内容の履歴が記録されている。そして制御ユニット１６は、この販売履歴情報のうち、直前に購入した飲料の種類（例えばコーヒー、紅茶等）に関する情報を読み出す（ステップＳ３０５）。
【００５１】
次に制御ユニット１６は、操作ユニット１７の表示部１７ｂに「規定の洗浄メニューモード」にするか「洗浄メニュー選択モード」にするかの選択を促す表示を行う（ステップＳ３０６）。このうち「規定の洗浄メニューモード」は、例えば今回購入する飲料が前回と同じものである場合など、洗浄メニューが規定の内容で良い場合に用いられる。他方、「洗浄メニュー選択モード」は、例えば今回購入する飲料が前回と異なるものである場合など、洗浄メニューをユーザーに選択してもらった方が良い場合に用いられる。
【００５２】
ここでユーザーが「洗浄メニュー選択モード」を選択した場合（ステップＳ３０９）、ユーザーは、操作ユニット１７のパネル部１７ａをマニュアルで操作することにより、飲料容器３０の洗浄内容を決定する（ステップＳ３１０）。すなわちユーザーが、例えば洗浄液の種類（洗剤を含むか等）および洗浄時間等を自ら選択する。
【００５３】
制御ユニット１６は、このユーザーによる選択に基づき、洗浄ユニット２１を制御して、容器本体３２および蓋３１の洗浄を行う（ステップＳ３０７）。具体的には、まず洗浄液ノズル２３により容器本体３２および蓋３１に洗浄液を噴射する。この場合、洗浄液の種類や洗浄液の噴射時間はユーザーの指示に従う。次に、リンス液ノズル２４から一定時間リンス液を噴射し、容器本体３２および蓋３１から洗浄液を取り除く。その後、熱風ノズル２５により一定時間乾燥用の熱風を吹き付け、容器本体３２および蓋３１を乾燥させる。
【００５４】
これに対してユーザーが「規定の洗浄メニューモード」を選択した場合、制御ユニット１６は、直前に購入した飲料の種類により予め規定された洗浄内容に基づき、洗浄ユニット２１を制御して、容器本体３２および蓋３１の洗浄を行う（ステップＳ３０７）。すなわち、まず洗浄液ノズル２３により容器本体３２および蓋３１に洗浄液を噴射する。この場合、洗浄液の種類や洗浄液の噴射時間は直前に購入した飲料の種類に対応して予め規定された内容に従う。次に、リンス液ノズル２４から一定時間リンス液を噴射し、容器本体３２および蓋３１から洗浄液を取り除く。その後、熱風ノズル２５により一定時間乾燥用の熱風を吹き付け、容器本体３２および蓋３１を乾燥させる。
【００５５】
続いて制御ユニット１６は、操作ユニット１７の表示部１７ｂに洗浄が終了したことを表示する。その後ユーザーは、このようにして洗浄された飲料容器３０（容器本体３２および蓋３１）のうち、容器本体３２を販売ユニット１２内に載置する。
【００５６】
次に図４により、飲料容器３０に対して飲料を充填する具体的な方法について説明する。なお、ユーザーが他の場所で飲料容器３０を洗浄する場合等、上述した洗浄方法（図３）を実行する必要がない場合には、以下のステップから開始しても良い。
【００５７】
まずユーザーが、飲料容器３０のうち容器本体３２を販売ユニット１２内に収容し載置する（ステップＳ４０１）。続いて、ユーザーは、操作ユニット１７のパネル部１７ａに設けられた「購入ボタン」を操作（押圧）する。
【００５８】
この際、制御ユニット１６は、第２のＩＣタグ３４から読出ユニット１５により読み出された識別情報に基づいて、販売ユニット１２内に容器本体３２が載置されているか否かを判断する（ステップＳ４０２）。具体的には、制御ユニット１６は、第１の読出ユニット１５が第２のＩＣタグ３４から識別情報を読み出した場合に、「容器本体が存在する」と判断し、第２のＩＣタグ３４から識別情報を読み出さなかった場合に、「容器本体が存在しない」と判断する。
【００５９】
ここで後者の場合、すなわち容器本体３２が販売ユニット１２に存在しないと判断した場合で、かつ操作ユニット１７のパネル部１７ａの「購入ボタン」が操作された場合、制御ユニット１６は、操作ユニット１７の表示部１７ｂに対し、飲料容器３０が載置されていないことを注意喚起する表示を行う（ステップＳ４１２）。この場合、制御ユニット１６は、容器本体３２が販売ユニット１２に載置されるまで飲料を充填しないように販売ユニット１２を制御する。
【００６０】
あるいは、容器本体３２が販売ユニット１２に存在しないと判断した場合で、かつ操作ユニット１７のパネル部１７ａの「購入ボタン」が操作された場合、制御ユニット１６は、紙カップ収容ユニット１９を制御して紙カップ１８を販売ユニット１２内に自動的にセットさせるとともに、この紙カップ１８に対して飲料を充填するように販売ユニット１２を制御しても良い（通常の紙カップ用飲料用自動販売機による販売方法と同様の方法）。
【００６１】
他方、販売ユニット１２内に飲料容器３０の容器本体３２が載置されている場合、以下のようにしてステップが進行する。
【００６２】
まず、制御ユニット１６は、販売ユニット１２内にある容器本体３２に蓋３１が装着されているか否かを判断する（ステップＳ４０３）。具体的には、制御ユニット１６は、蓋３１に設けられた第１のＩＣタグ３３から第１の読出ユニット１５により蓋認識情報を読み出した場合に「蓋が装着されている」と判断し、第１のＩＣタグ３３から蓋認識情報を読み出さなかった場合に「蓋が装着されていない」と判断する。
【００６３】
ここで制御ユニット１６は、「蓋が装着されている」と判断した場合、操作ユニット１７の表示部１７ｂに対し、容器本体３２に蓋３１が装着されていることを注意喚起する表示を行う（ステップＳ４１３）。またこの場合、蓋３１が取り除かれるまで飲料を充填しないように、販売ユニット１２を制御する。
【００６４】
他方、制御ユニット１６が「蓋が装着されていない」と判断した場合、第１の読出ユニット１５が容器本体３２に設けられた第２のＩＣタグ３４から識別情報（例えばＩＤナンバー）を読み出す（ステップＳ４０４）。
【００６５】
次に制御ユニット１６は、記憶ユニット１４にアクセスし、当該識別情報に対応付けられた飲料情報を読み出す（ステップＳ４０５）。なお当該識別情報に対応付けられた飲料情報が存在しない場合、初回の購入であると判断し、後述する「通常販売モード」（ステップＳ４１５）へ進む。
【００６６】
上述したように、飲料情報には、過去に販売された飲料の販売数を示す販売数情報が含まれている。そして制御ユニット１６は、飲料情報のうち販売数情報を参照し、この販売数情報の示す販売数が所定数に達しているか判断する（ステップＳ４０６）。
【００６７】
販売数が所定数に達している場合、飲料を無料または割引販売することに決定し（ステップＳ４０７）、その旨を操作ユニット１７の表示部１７ｂに表示する。これに対して、販売数情報の示す販売数が所定数に達していない場合、制御ユニット１６は、飲料を所定の料金で販売することに決定し（ステップＳ４１４）、その旨を操作ユニット１７の表示部１７ｂに表示する。
【００６８】
続いて、ユーザーは、操作ユニット１７の表示部１７ｂの表示に基づいて、料金を硬貨投入ユニット２０の硬貨投入口２０ａに投入する。なお料金が無料の場合には、ユーザーは料金を入れる必要がない。
【００６９】
次に、制御ユニット１６は、操作ユニット１７の表示部１７ｂに「自動販売モード」にするか「通常販売モード」にするかの選択を促す表示を行う（ステップＳ４０８）。
【００７０】
ここでユーザーが「通常販売モード」を選択した場合（ステップＳ４１５）、ユーザーは、操作ユニット１７のパネル部１７ａをマニュアルで操作することにより飲料を購入する（ステップＳ４１６）。すなわちユーザーが飲料の種類（例えばコーヒー、紅茶）ならびに添加物（例えばミルク、砂糖）の種類および量を自ら選択する。制御ユニット１６は、このユーザーによる選択に基づき、販売ユニット１２を制御して、飲料ノズル１３から容器本体３２に飲料を充填する（ステップＳ４１０）。
【００７１】
その後、制御ユニット１６は、ユーザーが選択した販売内容（飲料の種類、添加物の種類および量）に基づき、記憶ユニット１４に記憶された飲料情報に含まれる嗜好情報、販売数情報、および販売履歴情報を更新する（ステップＳ４１１）。
【００７２】
これに対してユーザーが「自動販売モード」を選択した場合、制御ユニット１６は、記憶ユニット１４を再度参照する（ステップＳ４０９）。
【００７３】
続いて制御ユニット１６は、記憶ユニット１４から飲料情報を読み出し、この飲料情報に基づいて、販売ユニット１２により容器本体３２に飲料を充填させる（ステップＳ４１０）。すなわち、制御ユニット１６は、飲料情報のうち嗜好情報を読み出し、当該ユーザーが今まで購入した回数が最も多い飲料の種類（例えばコーヒー、紅茶等）、ならびに添加物（例えば砂糖、ミルク等）の種類および量を選択する。次いで制御ユニット１６は、この選択した内容に基づいて販売ユニット１２を制御し、飲料ノズル１３から容器本体３２に飲料を充填する。
【００７４】
その後、制御ユニット１６は、このようにして今回販売した飲料の販売内容（飲料の種類、添加物の種類および量）に基づき、記憶ユニット１４に記憶された飲料情報を更新する（ステップＳ４１１）。具体的には、飲料情報のうち、販売数情報および販売履歴情報を更新する。
【００７５】
最後に、ユーザーは販売ユニット１２内から容器本体３２を取出し、これに蓋３１を装着して持ち運ぶ。
【００７６】
このように本実施の形態によれば、制御ユニット１６は、蓋３１に設けられた第１のＩＣタグ３３から第１の読出ユニット１５により蓋認識情報を読み出した場合、飲料を充填することがないので、蓋３１を装着した状態で販売ユニット１２に容器本体３２をセットした場合であっても、誤って蓋３１の上に飲料を注いでしまうことがない。
【００７７】
また本実施の形態によれば、制御ユニット１６は、容器本体３２を販売ユニット１２に載置しない状態で操作ユニット１７が操作された場合、飲料を充填しないように販売ユニット１２を制御するので、容器本体３２が販売ユニット１２に存在しない状態で飲料を充填するおそれがない。またこの場合、紙カップ１８を販売ユニット１２に自動的にセットして飲料を充填するので、飲料容器３０を持参しない人に対しても飲料を販売することができる。
【００７８】
また本実施の形態によれば、制御ユニット１６は販売ユニット１２により容器本体３２に飲料を充填させた後、当該飲料の販売に関する情報を新たな販売履歴情報として記憶ユニット１４に記憶させるので、販売履歴情報を常に新しい状態に維持することができる。
【００７９】
また本実施の形態によれば、販売機本体１１に、飲料容器３０を洗浄するための洗浄ユニット２１が設けられているので、外出先で飲料容器３０内を洗浄できない場合であっても、前に飲んだ飲料の汚れを残すことなく飲料容器３０を清潔な状態にして新たな飲料を充填することができる。さらに洗浄ユニット２１は、販売履歴情報のうち直前に購入した飲料に関する情報に基づいて飲料容器３０を洗浄するようになっているので、飲料容器３０の洗浄内容を適切なものとすることができる。
【００８０】
また本実施の形態によれば、制御ユニット１６は、販売数情報の示す販売数が所定数に達した場合、販売ユニット１２に飲料を無料または割引販売させるので、飲料容器３０を準備することの動機付けとすることができる。この結果、紙カップ１８を節約することにつながるので、資源を節約することができる。
【００８１】
また本実施の形態によれば、ユーザーが「自動販売モード」を選択した場合、制御ユニット１６は、嗜好情報に基づいて販売ユニット１２により自動的に飲料を充填させるので、ユーザーが飲料の購入内容（飲料の種類、添加物の種類および量等）を毎回決定する必要がなく、ユーザーの負担を軽減することができる。
【００８２】
第２の実施の形態
次に、本発明の第２の実施の形態について図５を参照して説明する。図５は、本発明の第２の実施の形態を示す図である。図５に示す第２の実施の形態は、記憶ユニット１４が設けられていない点、飲料情報が第２のＩＣタグ３４に記憶されている点、および販売ユニット１２内に書込ユニット２６が設けられている点が異なるものであり、他の構成は上述した第１の実施の形態と同一である。図５において、図１乃至図４に示す第１の実施の形態と同一部分には同一の符号を付して詳細な説明は省略する。
【００８３】
図５において、容器本体３２に設けられた第２のＩＣタグ３４には、飲料容器３０毎に異なる個別の識別情報（例えばＩＤナンバー等）のほか、嗜好情報、販売数情報、および販売履歴情報を含む飲料情報が記憶されている。
【００８４】
また販売ユニット１２内に、嗜好情報、販売数情報、および販売履歴情報を含む飲料情報を第２のＩＣタグ３４に対して書込み可能な書込ユニット２６が設けられている。なお、書込ユニット２６が第１の読出ユニット１５と一体に構成されていても良い。
【００８５】
次に、本実施の形態の作用について説明する。なお、本実施の形態の作用の基本的な部分は上述した第１の実施の形態と同様であるので、主に上述した第１の実施の形態と相違する部分を説明する。
【００８６】
まず図３に示すステップにより、洗浄ユニット２１を用いて飲料容器３０を洗浄する。この間、制御ユニット１６は、第２の読出ユニット２２を用いて容器本体３２に設けられた第２のＩＣタグ３４から飲料情報を読み出し、この飲料情報のうち販売履歴情報を参照する。次に制御ユニット１６は、この販売履歴情報のうち、直前に購入した飲料の種類（例えばコーヒー、紅茶等）に関する情報を読み出す。
【００８７】
ここで、ユーザーが「規定の洗浄メニューモード」を選択した場合、制御ユニット１６は、直前に購入した飲料の種類に対応して予め規定された洗浄内容に基づき、洗浄ユニット２１を制御して、容器本体３２および蓋３１の洗浄を行う。この場合の具体的な洗浄方法は、第１の実施の形態で既に説明したとおりである。
【００８８】
次に図４に示すステップと同様にして、販売ユニット１２内に載置された容器本体３２に対して飲料を充填する。
【００８９】
この間、ユーザーが「自動販売モード」を選択した場合、制御ユニット１６は、第１の読出ユニット１５により、第２のＩＣタグ３４から飲料情報を直接読み出し、この飲料情報に基づいて、販売ユニット１２により容器本体３２に飲料を充填させる。この場合の具体的な充填方法については、第１の実施の形態において既に説明したとおりである。
【００９０】
その後、制御ユニット１６は、今回販売した飲料の販売内容に基づき、書込ユニット２６により、第２のＩＣタグ３４の飲料情報を更新する。
【００９１】
本実施の形態によれば、飲料情報が飲料容器３０側に記憶されているので、とりわけ飲料用自動販売機１０が複数台設置されている場合に、ユーザーは、どの飲料用自動販売機１０を利用しても同一のサービスを受けることができるので、有利である。
【００９２】
このほか、第１の実施の形態で説明した効果と同様の効果を得ることもできる。
【００９３】
第３の実施の形態
次に、本発明の第３の実施の形態について図６を参照して説明する。図６は、本発明の第３の実施の形態を示す図である。図６に示す第３の実施の形態は、記憶ユニット１４を設ける代わりに、飲料用自動販売機１０と通信可能に接続されたサーバー２７が設けられている点が異なるものであり、他の構成は上述した第１の実施の形態と同一である。図６において、図１乃至図４に示す第１の実施の形態と同一部分には同一の符号を付して詳細な説明は省略する。
【００９４】
図６において、第２のＩＣタグ３４が記憶する個別の識別情報と飲料情報とを対応付けて記憶するサーバー２７が設けられている。飲料用自動販売機１０は、通信回線２８を介してサーバー２７に通信可能に接続されている。さらにサーバー２７には、このほか、飲料用自動販売機１０と同様の構成からなる複数の飲料用自動販売機１０Ａ、１０Ｂ、…が接続されている。
【００９５】
このサーバー２７の設置場所は任意であるが、一般的には飲料用自動販売機１０、１０Ａ、１０Ｂ、…から離れた場所であり、飲料用自動販売機１０、１０Ａ、１０Ｂ、…の管理者が管理しやすい場所に設置することが好ましい。
【００９６】
なお、飲料容器３０と、飲料用自動販売機１０、１０Ａ、１０Ｂ、…と、サーバー２７とにより、本実施の形態による飲料販売システム１００が構成される。
【００９７】
次に、本実施の形態の作用について説明する。なお、本実施の形態の作用の基本的な部分は上述した第１の実施の形態と同様であるので、主に上述した第１の実施の形態と相違する部分を説明する。
【００９８】
まず図３に示すステップにより、洗浄ユニット２１を用いて飲料容器３０を洗浄する。この間、制御ユニット１６は、第２の読出ユニット２２を用いて容器本体３２に設けられた第２のＩＣタグ３４から識別情報（例えばＩＤナンバー）を読み出す。次に制御ユニット１６は、サーバー２７にアクセスし、当該識別情報に対応付けられた飲料情報のうち販売履歴情報を参照する。次に制御ユニット１６は、この販売履歴情報のうち、直前に購入した飲料の種類（例えばコーヒー、紅茶等）に関する情報を読み出す。
【００９９】
ここで、ユーザーが「規定の洗浄メニューモード」を選択した場合、制御ユニット１６は、直前に購入した飲料の種類に対応して予め規定された洗浄内容に基づき、洗浄ユニット２１を制御して、容器本体３２および蓋３１の洗浄を行う。この場合の具体的な洗浄方法は、第１の実施の形態で既に説明したとおりである。
【０１００】
次に図４に示すステップと略同様にして、販売ユニット１２内に載置された容器本体３２に対して飲料を充填する。
【０１０１】
その後、ユーザーが「自動販売モード」を選択した場合、制御ユニット１６は、第１の読出ユニット１５により、第２のＩＣタグ３４から識別情報（例えばＩＤナンバー）を読み出す。続いて制御ユニット１６は、サーバー２７にアクセスし、サーバー２７に記憶された飲料情報を読み出すとともに、この飲料情報に基づいて、販売ユニット１２により容器本体３２に飲料を充填させる。この場合の具体的な充填方法については、第１の実施の形態において既に説明したとおりである。
【０１０２】
その後、制御ユニット１６は、販売した飲料の販売内容に基づき、サーバー２７に記憶された飲料情報を更新する。
【０１０３】
本実施の形態によれば、飲料情報が１箇所に設けられたサーバー２７に記憶されているので、ユーザーは、複数の飲料用自動販売機１０、１０Ａ、１０Ｂ、…のいずれを利用しても同一のサービスを受けることができるので、有利である。
【０１０４】
このほか、第１の実施の形態で説明した効果と同様の効果を得ることもできる。
【符号の説明】
【０１０５】
１０    飲料用自動販売機
１１    販売機本体
１２    販売ユニット
１３    飲料ノズル
１４    記憶ユニット
１５    第１の読出ユニット
１６    制御ユニット
１７    操作ユニット
１７ａ  パネル部
１７ｂ  表示部
１８    紙カップ（使い捨ての飲料容器）
１９    紙カップ収容ユニット
２０    硬貨投入ユニット
２０ａ  硬貨投入口
２１    洗浄ユニット
２２    第２の読出ユニット
２３    洗浄液ノズル
２４    リンス液ノズル
２５    熱風ノズル
２６    書込ユニット
２７    サーバー
２８    通信回線
３０    飲料容器
３１    蓋
３２    容器本体
３３    第１のＩＣタグ
３４    第２のＩＣタグ
１００  飲料販売システム
【図１】
2010224882.tif 000003
【図２】
2010224882.tif 000004
【図３】
2010224882.tif 000005
【図４】
2010224882.tif 000006
【図５】
2010224882.tif 000007
【図６】
2010224882.tif 000008